(57)【要約】      （修正有）【課題】清掃などの作業性の向上及びショウケース内のスマートさを実現する。【解決手段】上開き扉４５、扉の受けのフレーム４８、サイドカバー２８と扉の取付け固定部をショーケース台４０に構築してなるショーケース２０に於いて、扉の取付け固定部にホルダーハウジングを設け、それに本発明のドアーホルダーキッド１０を嵌合させ両者を締結させる為にネジを用いている。上開き扉４５は、ドアーホルダーキッド１０にある取付アーム１９で締結されている。尚、ドアーホルダーキッド内は、上開き扉又はフロントガラス４５の開閉を容易にする為に圧縮バネ、ローラ等の部品並び空圧調整装置を布設した構成になっている。【選択図】  図４
2005000606.tif 000002
【特許請求の範囲】
【請求項１】
上開き扉（４５）、扉の受けのフレーム（４８）、サイドカバー（２８）と扉の取付け固定部（５）をショーケース台（４０）に構築してなるショーケースに於いて、
（イ）  ショーケース台（４０）の扉の取付け固定部にドアーホルダーキット（１０）のガイドホルダー（１）の外部と嵌合するホルダーハウジング（４３）を設ける。
（ロ）  上開き扉（４５）に密接着するフレーム（４８）をショーケース台に設ける。
（ハ）  フレーム（４８）に両側のサイドガバー（２８）を取付ける。
（ニ）  ドアーホルダーキット（１０）の取付けアーム（１９）に上開き扉（４５）を取付ける。
（ホ）  ドアーホルダーキット（１０）のガイドホルダー（１）をショーケース台（４０）に構築のホルダーハウジング（４３）に固定する。
以上の構成によりなるショーケース。
【請求項２】
取付アーム（１９）、支点ピン（２２）、ローラ（４）、ロッドガイド（２）、ブロック（６）、ロッド（７）、ロッド受ガイド（８）、ネジ付ロッド（１４）、ロッド受（１２）、バネ（１１）、バネ受（１３）、ナット（１７）をガイドホルダー（１）に収納し、ガイドホルダー（１）とロッドガイド（２）をネジ（１６）で締結して構成されたドアーホルダーキット（１０）を設けたことを特徴とする請求項１のショーケース。
【請求項３】
ドアーホルダーキット（１０）のロック受ガイド（８）に空圧調整装置（１５）を設けたことを特徴とする請求項１のショーケース。
【請求項４】
ショーケース台（４０）内に冷凍室（４２）、ファンコイル（４７）の冷蔵装置を設けたことを特徴とする請求項１のショーケース。
【発明の詳細な説明】
【０００１】
【発明の属する技術分野】
本発明は、高級な陳列物品の展示用のショーケースに関する。
また、新鮮で清潔な売り物などを冷蔵庫に用いるもので、中の物品の取り出しを容易にするために上開き式の扉（ドアー）体にて使用のショーケースに関する。
【０００２】
【従来の技術】
従来の実施例１（図７、８）に示すショーケースでは、裏側で引き戸又は引き扉（５０）であったり、又表側にてガラス製の扉タイプが使用されている。
他の実施例２として、図９に示す様に上開き扉のものがある。（例えば、特許文献１、２参照）
【０００３】
【特許文献１】
特開平０５−１４９６７３号公報
【特許文献２】
実開昭５８−１３３７８３号公報
【０００４】
【発明が解決しようする課題】
従来の実施例１タイプの展示商品用のショーケースでは、お客が自由に商品を手にとって見たい時に商品の取り出しに不便を感じ、またショーケース内の隅々までの掃除がし難いなどの苦情があった。
【０００５】
一方、実施例２タイプの展示商品用のショーケースでは、その点で上記の不便さは解消されるがドアー（又は扉）の開閉用の機能を行うガススプリング（又はショクアブソーバと呼称する）の外観がショーケースの室内で視覚され、またスペースをとる不合理性もあり、室内の商品の見た目の価値を低下させるイメージを植えつけるなどで改良の声があった。
【０００６】
なお、ショックアブソーバ式の使用のものは、ショウケースの容量の大きさで型式毎に選定を必要とした。即ち、大型用のショウケースには、外観が大きくなり不便さが増し、これを解消するためには小型用のものをその分だけ数を増して対応するためショウケース内のスマートさが失しなわれ、展示品の商品価値を低低下させる傾向があった。
【０００７】
【課題を解決するための手段】
前記のこれらの要求・目的を全て達成する為に、図４に示す様な上開き扉（又はドアー）方式を採用した。
尚、作業性・取扱いを容易にするためにこれらをドアーホルダーキット（１０）にし、ガイドホルダー（１）の内側に圧縮コイルバネ（１１）、連結のロッド７）、ロッド受（１２）とフロントガラス（４５）の取付アーム（１９）にローラ（４）等を使用したテコ式のもので対応の冷蔵ショーケースに利用した。
【０００８】
これらの構成を具体的に図４〜図６をもとに以下に説明する。
（イ）ショーケース台（４０）の下部には、冷凍室（４２）がありその上部の室にはフアンコイル（４７）をセットしたフアンコイル室（４４）がある。
（ロ）フアンコイル室のファン（４６）にて、冷凍室の冷空気をショーケース（２０）内の品物に吹き掛ける為に各部屋間には、通路が設けられている。
（ハ）ショーケース台（４０）の上部は品物又は商品を展示する為の空間となり空間部には展示用の棚台（４９）が数段に設けられ照明用のランプ（２５）が付設されている。
（ニ）ショーケース台の前部は、品物又は商品を見易くする為に扉（４５）は、透明のガラスが使用されている。
（ホ）ショーケース台の後部側には、ドアーホルダーキット（１０）を収納する為のホルダーハウジング（４３）が溶接又は、ネジにて構築されている。
（ヘ）開閉する上開き扉（又はフロントガラスとよぶ）（４５）と接触する対面は、ショーケース台（４０）にフレーム（４８）が構築されている。
（ト）フロントガラス（４５）に対面するサイドフレーム（２７）には、サイドガバー（２８）付設されている。
【０００９】
本発明の要部であるドアーホルダーキット（１０）の構成を説明する。
（イ）ガイドホルダー（１）は、図２、１０に示す様に中空四辺形断面をした長手形状の鋼製のもので、外部がホルダーハウジング（４３）と嵌合する。
又、ガイドホルダー（１）は、ロッドガイド（２）とロッド受ガイド（８）を内接して収納している。
（ロ）ロッドガイド（２）は、外周が四辺形で内側にはブロック（６）と嵌合の切欠き（２ａ）をもち残り耳部に支点ピン（２２）と嵌合の孔（２ｂ）を両側に持っている。
ロッドガイドの片方側の内側の切欠き（２ａ）には、支点ピン（２２）を介して取付アーム（１９）を取付けている。
ローラ（４）は、ローラピン（３）を芯にして取付アーム（１９）に取付られている。
ロッドガイドの他方側は、ロッド（７）と孔嵌合し中程のネジ（２ａ）は、ロッド受ガイド（８）を介してネジ付ロッド（１４）のネジ（１４ａ）と螺合して、ロッドガイドとロック受ガイドの両者を締結している。
ブロック（６）は、ロッド（７）が一端側に孔嵌合し、ロッドガイド（２）の切欠（２ａ）側面と摺動嵌合の構成になっている。
（ハ）又、ロッドガイド（２）は、中央部にネジ付ロッド（１４）と螺合するためのネジ（２ｄ）をもっており、その両側には、ロッド（７）と嵌合のガイド孔（２ｅ）もっている。
（ニ）ガイドホルダー（１）は、ロッドガイド（２）を固定するために皿ネジ（１６）を取付けの座面（１ａ）を外周にもっている。
（ホ）図６で、ホルダーホウジング（４３）は、ドアーホルダーキット（１０）を固定する為にホルダーホウジング外周にネジ（２１ｂ）を外部に持つ。
（ヘ）次に図６にて、ロッド受ガイド（８）の外周は、四辺形でガイドホルダー（１）の内側と接触しており内側は密閉室（ヘ）を形成させる為に片側は中空円形でロッド受（１２）の外周と嵌合面のハメアイになっている。
なお、気密保持の為に合成ゴム製のＯ（オー）リングを使っていて、密閉室（ヘ）の空気圧の調整の為にイ、ロの空気路を設けている。
ロッド受ガイド（８）は、中程にネジ付ロッド（１４）が挿入され、片方の内側にはロッド受（１２）が摺動嵌合する構成になっている。
（ト）又、ロッド受けガイド（８）は、密閉室（ヘ）の空気圧調整用にニップル（３１）を介して蝶ナット付ニードル（３３）を取付けのホロウスクリュウ（３４）と螺合のネジを設けている。
（チ）ロッド受（１２）の内外径部には、気密保持の為にＯ（オー）リング溝（１２ａ、１２ｂ）をもち、内側はネジ付ロッド（１４）と嵌合するための孔（１２ｃ）を持っていて、一端はコイルバネ（１１）をガイドする為の突起部（１２ｄ）を形成している。
（リ）コイルバネ（１１）は、ショーケース（２０）内の品物の取出しに使う時に透明のフロントガラスの端部（４５ａ）をつかみ行う時に衝撃なくおだやかに行われる為のもので、ドアーホルダキっト（１０）は大小容量装置に１種類で万能として使用出来る様に張力調整が出来る様にしている。
実例は、過負荷重に耐える様に角断面形の高級バネ材を使用している。ネジ付ロッド（１４）は、片方にはＵナット（１７）が螺合しロット受（１２）と摺動嵌合し、他方はロッド受ガイド（８）と孔嵌合している。
（ヌ）Ｕナット（１７）は、ネジの弛みどめ対策用の市販用商品名でバネ受（１３）をナット座金面として使用している。
以上の（イ）〜（ヌ）の部品の構成からドアーホルダーキット（１０）は成立して、これをフロントガラス（４５）装着のフレーム（４８ｂ）をボルト（２１）にて締結して使用する。
【００１０】
なお、Ｏ（オー）リング（９）、パッキン（３４）の非鉄金属外は、鋼製の物にて対応している。また、高圧、耐久性の必要なローラピン、ローラ、ブロック等のところには、熱処理と熱処理材を使用して対応している。
図面及び説明は、冷蔵ショーケースとしているが、室温にての装飾品、小物の造花品の展示等で図７に示す様なスタイルで使用も可能であり、冷凍・冷温ショーケースだけに本発明は使用限定しないものである。
【００１１】
【発明の実施の形態】
次に本発明の実施の形態をのべる。
【００１２】
図４に於いてショーケース（２０）の中に品物を入れる場合の実施の手順は、
（イ）上開き扉又はフロントガラス（４５）の端部（４５ａ）に両手を下から掛けて上側に力を加える。
（ロ）図４のフロントガラス（４５）は、ガラス取付の取付枠（４５ｂ）と共締めの取付アーム（１９）に設けた支点ピン（２２）を中心に時計方向に回動する。
（ハ）この回動時は、ガイドホルダー（１）内に設けたコイルバネ（１１）の付性力（Ｆ）がネジ付ロッド（１４）を介してロッド受（８）、ロッドガイド（２）を案内されロッド（７）がブロック（６）を上側に押し揚げる。
（ニ）取付アーム（１９）に設けたローラ（４）は、その付性力（Ｆ）によりフロントガラス取付の取付枠（４５ｂ）に働くために両手に加える力は弱力にてフロントガラス（４５）を開ける対応が容易となる。
【００１３】
次に、図６に図示の空圧調整機構（１５）の作動を下記に列記する。
（イ）フロントガラス（４５）を開ける時には、両手に加わる抵抗力に緩衝力として緩やかにするために図６に示す密閉室（ヘ）を設けている。
（ロ）この部屋の空気圧を上々に降圧するには、ショーケース（２０）の外部にて操作出来る空圧調整機構（１５）の蝶ナット付ニードル（３３）を緩める（反時計方向に回す）。コイルバネの張力抵抗を加減する事が出来る。
【００１４】
次にフロントガラス（４５）を閉める時の実施手順は、これとは反対になる。
（イ）フロントガラス（４５）の端部（４５ａ）を両手にて下側に力を加える。
（ロ）ガラス取付の取付枠（４５ｂ）と共締の取付アーム（１９）に設けた支点ピン（２２）を支点にして取付アーム（１９）に設けたローラ（４）がブロック（６）を下側へ押しつける。
（ハ）これに伴いロッド（７）を介してロッド受（１２）を押し下げる。
この際には、コイルバネ（１１）の作動力が逐次の緩衝力となる。
【００１５】
【発明の効果】
図４〜６に示すようにショーケース又は冷蔵ショーケースの上開き扉（ドアー）式に用いる本発明は、上述の通りの構成であるので、引き扉式又はガススプリング（又は、ショックアブソーバ）式の扉に較べ次の効果を奏する。
【００１６】
（イ）ショーケースの内部にガススプリングの外観が見えない為にスッキリするので、商品又は品物に与える好印象の影響が大で付加価値を高める。
（ロ）ショーケースの内部に余分なスペースを採らないため商品・品物をその分沢山に詰め込めることができる効果がある。
（ハ）ドアーホルダーキット（１０）は、ドアーの開閉ストロークと開閉力を圧縮バネにて出来る機構の為に、一種で小型から大型容量まで対応が可能。
（ニ）ドアーホルダーキット（１０）は、機能を持った一っのアッシーとして用いる事が可能で目的によりショーケース又は、冷蔵ショーケースにも簡易に対応ができ商品価値、又は品物の付加価値をアップする事ができる。
（ホ）商品又は品物の取出し際は、引き扉式は作業性が悪いが、本発明の上開き扉では隅々迄の配列又は取出し良好で総合的にユーザーに満足を与える。
（ヘ）また、食料品などに使うショーケースでは、隅々までの掃除なども容易であり、突起のない室内が清潔性に優れ衛生的である。
（ト）ガススプリング式は、例えば、冷凍時のマイナス１０度Ｃで０度Ｃに対しガスによる機能低下が約１０％程弱くなるので、ドアー開閉の使用時の違和感を生じるが、本発明は、雰囲気温度に作用されない為そのような事はない。
【図面の簡単な説明】
【図１】本発明の冷蔵ショーケースの正面図である。
【図２】本発明の図１の冷蔵ショーケースの平面図である。
【図３】本発明の図１の冷蔵ショーケースのＹ視（側面図）
【図４】本発明の図１の冷蔵ショーケースの横断面Ａ−Ｂ−Ｃ−Ｄ
【図５】本発明の図２の断面Ｅ−Ｆ．．．．上開き扉タイプの開閉機構の要部を示す。
【図６】本発明の図２の断面Ｇ−Ｈ．．．．上開き扉タイプの開閉機構を示す。
【図７】従来使用の冷蔵ショーケース（２０）の斜視図
【図８】従来使用の冷蔵ショーケースの横断面図（実施例１）．．．．引き扉式
【図９】従来使用の冷蔵ショーケースの横断面図（実施例２）．．．．ガススプリング式
【図１０】本発明の図５の断面Ｌ−Ｍである。
【図１１】本発明の図５の断面Ｎ−Ｏである。
【図１２】本発明の図６の断面Ｐ−Ｑである。
【符号の説明】
１  ガイドホルダー
２  ロッドガイド
４  ローラ
５  扉の取付け固定部
６  ブロック
７  ロッド
８  ロッド受ガイド
９  Ｏ（オー）リング      ９ａ、９ｂ、９ｃ、９ｄ  オーリング溝
１０  ドアーホルダーキット
１１  バネ（又は、コイルバネ）
１２  ロッド受
１３  バネ受
１４  ネジ付ロッド
１５  空圧調整装置
１６  ネジ（又は、サラネジ）
１７  Ｕナット（又は、ナット）
１９  取付アーム
２０  ショーケース（又は、冷蔵ショーケース）
２１  ボルト（又は、ネジ）    ２１ａ、２１ｂ  ネジ
２２  支点ピン
２３  取付板
２４  連結ロッド
２８  サイドカバー
３１  ニップル
３３  蝶ナット付ニードル
３５  ガススプリング（又は、ショックアブソーバ）
３６  アーム支点    ３６ａ、３６ｂ  アーム支点
３７  ホロウスクリュウ
４０  ショーケース台
４２  冷凍室（又は、冷凍庫）
４３  ホルダーホウジング
４５  上開き扉（又は、フロントガラス）    ４５ａ、４５ｂ  扉
４６  フアン
４７  フアンコイル
４８  フレーム    ４８ａ、４８ｂ、４８ｃ
４９  棚台    ４９ａ、４９ｂ、４９ｃ
ヘ  密閉室
イ、ロ、ハ、ニ  空気孔（場所を示す）
【図１】
2005000606.tif 000003
【図２】
2005000606.tif 000004
【図３】
2005000606.tif 000005
【図４】
2005000606.tif 000006
【図５】
2005000606.tif 000007
【図６】
2005000606.tif 000008
【図７】
2005000606.tif 000009
【図８】
2005000606.tif 000010
【図９】
2005000606.tif 000011
【図１０】
2005000606.tif 000012
【図１１】
2005000606.tif 000013
【図１２】
2005000606.tif 000014